(57)【特許請求の範囲】
【請求項１】
被写体を撮像する撮像手段と、
前記撮像手段による被写体の撮影を制御する撮影制御手段と、
音を集音するマイクロホンと、
前記マイクロホンにより集音された音の音声データを、記録手段の空き容量に応じて変動することのない単位時間当たり一定のデータ量で前記記録手段に記録する録音手段と、
ユーザが音声録音の予定時間を入力するための入力手段と、
前記入力手段により入力された時間を音声録音時間として設定する設定手段と、
前記設定手段により設定された音声録音時間及び前記記録手段の空き容量に基づいて撮影の撮影間隔を算出する算出手段と、
を備えたことを特徴とする撮像装置。
【請求項２】
前記記録手段の現在の空き容量を判定する判定手段と、
前記判定手段により判定された現在の空き容量から前記設定手段により設定された音声録音時間に必要なデータ容量を減算して、前記記録手段の空き容量を推定する推定手段と、
を備え、
前記算出手段は、
前記設定手段により設定された音声録音時間及び前記推定手段により推定された前記記録手段の空き容量に基づいて、撮影の撮影間隔を算出することを特徴とする請求項１記載の撮像装置。
【請求項３】
前記算出手段は、
前記記録手段の空き容量に基づいて撮影の撮影回数を算出する回数算出手段を含み、前記設定手段により設定された音声録音時間及び前記回数算出手段により算出された撮影回数に基づいて撮影の撮影間隔を算出し、
前記回数算出手段により算出された撮影回数に基づいて、残り撮影回数を表示手段に表示させる第１の表示制御手段を備えたことを特徴とする請求項１又は２記載の撮像装置。
【請求項４】
前記算出手段により算出された撮影間隔に基づいて、次の撮影タイミングを前記表示手段に表示させる第２の表示制御手段を備えたことを特徴とする請求項１乃至３の何れかに記載の撮像装置。
【請求項５】
前記撮影制御手段は、
前記算出手段により算出された撮影間隔で被写体の静止画撮影を制御する静止画撮影制御手段を含むことを特徴とする請求項１乃至４の何れかに記載の撮像装置。
【請求項６】
ユーザに対して撮影タイミングが到来したことを報知する報知手段を備えたことを特徴とする請求項１乃至５の何れかに記載の撮像装置。
【請求項７】
被写体を撮像する撮像手段と、
前記撮像手段による被写体の撮影を制御する撮影制御手段と、
音を集音するマイクロホンと、
前記マイクロホンにより集音された音の音声データを記録手段に記録する録音手段と、
ユーザが音声録音の予定時間を記録開始前に入力するための入力手段と、
前記入力手段により入力された時間を音声録音時間として設定する設定手段と、
前記記録手段の現在の空き容量から前記設定手段により設定された音声録音時間に必要なデータ容量を減算して、前記記録手段の空き容量を記録開始前に推定する推定手段と、
を備えたことを特徴とする撮像装置。
【請求項８】
前記推定手段により推定された空き容量に基づいて撮影回数を算出する回数算出手段と、
前記回数算出手段により算出された撮影回数に基づいて、残り撮影回数を表示手段に表示させる第１の表示制御手段と、
を備えたことを特徴とする請求項７記載の撮像装置。
【請求項９】
前記撮影制御手段は、
前記回数算出手段により算出された撮影回数分の撮影を行なった場合は、被写体の撮影を禁止する禁止手段を含むことを特徴とする請求項３又は８記載の撮像装置。
【請求項１０】
前記回数算出手段により算出される撮影回数を所定回数以下に制限する制限手段を備えたことを特徴とする請求項８又は９記載の撮像装置。
【請求項１１】
前記算出手段により算出される撮影間隔を所定間隔以上に制限する制限手段を備えたことを特徴とする請求項１乃至６の何れかに記載の撮像装置。
【請求項１２】
マイクロホンにより集音された音が無音状態か否かを検出する検出手段を備え、
前記録音手段は、
前記検出手段により集音された音が無音状態と検出した場合には、該マイクロホンにより集音された音の音データの記録を停止する停止手段を含み、
前記推定手段は、
前記停止手段により該マイクロホンにより集音された音の音データの記録が停止された場合には、前記設定手段により設定された音声録音時間に必要なデータ容量を再計算して、前記記録手段の空き容量を再推定することを特徴とする請求項２又は７記載の撮像装置。
【請求項１３】
前記回数算出手段は、
前記記録手段の空き容量と電池の残り電池残量とを勘案して、前記設定手段により設定された音声録音時間、及び、前記記録手段の空き容量又は電池の残り電池残量に基づいて撮影回数を算出することを特徴とする請求項３又は８記載の撮像装置。
【請求項１４】
前記算出手段は、
前記記録手段の空き容量と電池の残り電池残量とを勘案して、前記設定手段により設定された音声録音時間、及び、前記記録手段の空き容量又は電池の残り電池残量に基づいて撮影間隔を算出することを特徴とする請求項１記載の撮像装置。
【請求項１５】
前記回数算出手段、前記算出手段は、
電池の残り電池残量に基づいて撮影回数又は撮影間隔を算出する場合は、電池の残り電池残量から、前記設定手段により設定された音声録音時間に必要な電池残量を減算し、該減算後の電池容量から撮影回数又は撮影間隔を算出することを特徴とする請求項１３又は１４記載の撮像装置。
【請求項１６】
撮像素子による被写体の撮影を制御する撮影処理と、
マイクロホンにより集音された音の音声データを、記録媒体の空き容量に応じて変動することのない単位時間当たり一定のデータ量で前記記録媒体に記録する録音処理と、
ユーザによって入力された時間を音声録音時間として設定する設定処理と、
前記設定処理により設定された音声録音時間及び前記記録媒体の空き容量に基づいて撮影の撮影間隔を算出する算出処理と、
を含み、上記各処理をコンピュータで実行させることを特徴とするプログラム。
【請求項１７】
撮像素子による被写体の撮影を制御する撮影処理と、
マイクロホンにより集音された音の音声データを記録媒体に記録する録音処理と、
ユーザによって記録開始前に入力された時間を音声録音時間として設定する設定処理と、
前記記録媒体の現在の空き容量から前記設定処理により設定された音声録音時間に必要なデータ容量を減算して、前記記録媒体の空き容量を記録開始前に推定する推定処理と、
を含み、上記各処理をコンピュータで実行させることを特徴とするプログラム。
【発明の詳細な説明】
【技術分野】
【０００１】
本発明は、撮像装置及びそのプログラムに係り、詳しくは、録音中に撮影処理を行うことができる撮像装置及びそのプログラムに関する。
【背景技術】
【０００２】
近年、撮像装置、例えば、デジタルカメラにおいては、被写体を撮影（静止画撮影、動画撮影を含む）するのみならず、被写体の音声を録音することができるデジタルカメラが普及してきている。
また、このような技術の発展に伴い、音声録音中に撮影された複数枚の静止画を関連付けて記録することにより、録音音声再生時には、撮影したタイミングで静止画を表示させることができるデジタルカメラも登場してきている（特許文献１）。
【０００３】
【特許文献１】公開特許公報  特開２００１−６９４５３
【発明の開示】
【発明が解決しようとする課題】
【０００４】
しかしながら、従来の撮像装置によれば、音声録音中に撮影を行なう場合には、ユーザが残りの記録容量や電池容量を意識しなければならなかった。
また、音声録音及び撮影によりどのくらいの記録容量、電池容量を消費するのかが分からないため、いくら残り記録容量や電池容量を意識していても、正確な記録容量などを把握することはできなかった。そのため、記録容量などが余りないのにも拘わらず撮影を過度に行なうことにより、予定していた録音時間より前に記録容量などがなくなり、録音したい音を録音することができないという場面もあった。
【０００５】
そこで本発明は、かかる従来の問題点に鑑みてなされたものであり、残り記録容量や電池容量に応じた被写体の撮影を行なうことができる撮像装置及びそのプログラムを提供することを目的とする。
【課題を解決するための手段】
【０００６】
上記目的達成のため、請求項１記載の発明による撮像装置は、被写体を撮像する撮像手段と、前記撮像手段による被写体の撮影を制御する撮影制御手段と、音を集音するマイクロホンと、前記マイクロホンにより集音された音の音声データを、記録手段の空き容量に応じて変動することのない単位時間当たり一定のデータ量で前記記録手段に記録する録音手段と、ユーザが音声録音の予定時間を入力するための入力手段と、前記入力手段により入力された時間を音声録音時間として設定する設定手段と、前記設定手段により設定された音声録音時間及び前記記録手段の空き容量に基づいて撮影の撮影間隔を算出する算出手段とを備えたことを特徴とする。
【０００７】
また、例えば、請求項２に記載されているように、前記記録手段の現在の空き容量を判定する判定手段と、
前記判定手段により判定された現在の空き容量から前記設定手段により設定された音声録音時間に必要なデータ容量を減算して、前記記録手段の空き容量を推定する推定手段と、
を備え、
前記算出手段は、
前記設定手段により設定された音声録音時間及び前記推定手段により推定された前記記録手段の空き容量に基づいて、撮影の撮影間隔を算出するようにしてもよい。
【０００８】
また、例えば、請求項３に記載されているように、前記算出手段は、
前記記録手段の空き容量に基づいて撮影の撮影回数を算出する回数算出手段を含み、前記設定手段により設定された音声録音時間及び前記回数算出手段により算出された撮影回数に基づいて撮影の撮影間隔を算出し、
前記回数算出手段により算出された撮影回数に基づいて、残り撮影回数を表示手段に表示させる第１の表示制御手段を備えるようにしてもよい。
【０００９】
また、例えば、請求項４に記載されているように、前記算出手段により算出された撮影間隔に基づいて、次の撮影タイミングを前記表示手段に表示させる第２の表示制御手段を備えるようにしてもよい。
【００１０】
また、例えば、請求項５に記載されているように、前記撮影制御手段は、
前記算出手段により算出された撮影間隔で被写体の静止画撮影を制御する静止画撮影制御手段を含むようにしてもよい。
【００１２】
また、例えば、請求項６に記載されているように、ユーザに対して撮影タイミングが到来したことを報知する報知手段を備えるようにしてもよい。
【００１３】
上記目的達成のため、請求項７記載の発明による撮像装置は、被写体を撮像する撮像手段と、前記撮像手段による被写体の撮影を制御する撮影制御手段と、音を集音するマイクロホンと、前記マイクロホンにより集音された音の音声データを記録手段に記録する録音手段と、ユーザが音声録音の予定時間を記録開始前に入力するための入力手段と、前記入力手段により入力された時間を音声録音時間として設定する設定手段と、前記記録手段の現在の空き容量から前記設定手段により設定された音声録音時間に必要なデータ容量を減算して、前記記録手段の空き容量を記録開始前に推定する推定手段とを備えたことを特徴とする。
【００１４】
また、例えば、請求項８に記載されているように、前記推定手段により推定された空き容量に基づいて撮影回数を算出する回数算出手段と、前記回数算出手段により算出された撮影回数に基づいて、残り撮影回数を表示手段に表示させる第１の表示制御手段とを備えるようにしてもよい。
【００１５】
また、例えば、請求項９に記載されているように、前記撮影制御手段は、
前記回数算出手段により算出された撮影回数分の撮影を行なった場合は、被写体の撮影を禁止する禁止手段を含むようにしてもよい。
【００１６】
また、例えば、請求項１０に記載されているように、前記回数算出手段により算出される撮影回数を所定回数以下に制限する制限手段を備えるようにしてもよい。
【００１７】
また、例えば、請求項１１に記載されているように、前記算出手段により算出される撮影間隔を所定間隔以上に制限する制限手段を備えるようにしてもよい。
【００１８】
また、例えば、請求項１２に記載されているように、マイクロホンにより集音された音が無音状態か否かを検出する検出手段を備え、
前記録音手段は、
前記検出手段により集音された音が無音状態と検出した場合には、該マイクロホンにより集音された音の音データの記録を停止する停止手段を含み、
前記推定手段は、
前記停止手段により該マイクロホンにより集音された音の音データの記録が停止された場合には、前記設定手段により設定された音声録音時間に必要なデータ容量を再計算して、前記記録手段の空き容量を再推定するようにしてもよい。
【００２０】
また、例えば、請求項１３に記載されているように、前記回数算出手段は、
前記記録手段の空き容量と電池の残り電池残量とを勘案して、前記設定手段により設定された音声録音時間、及び、前記記録手段の空き容量又は電池の残り電池残量に基づいて撮影回数を算出するようにしてもよい。
【００２１】
また、例えば、請求項１４に記載されているように、前記算出手段は、
前記記録手段の空き容量と電池の残り電池残量とを勘案して、前記設定手段により設定された音声録音時間、及び、前記記録手段の空き容量又は電池の残り電池残量に基づいて撮影間隔を算出するようにしてもよい。
【００２２】
また、例えば、請求項１５に記載されているように、前記回数算出手段、前記算出手段は、
電池の残り電池残量に基づいて撮影回数又は撮影間隔を算出する場合は、電池の残り電池残量から、前記設定手段により設定された音声録音時間に必要な電池残量を減算し、該減算後の電池容量から撮影回数又は撮影間隔を算出するようにしてもよい。
【００２３】
上記目的達成のため、請求項１６記載の発明によるプログラムは、撮像素子による被写体の撮影を制御する撮影処理と、マイクロホンにより集音された音の音声データを、記録媒体の空き容量に応じて変動することのない単位時間当たり一定のデータ量で前記記録媒体に記録する録音処理と、ユーザによって入力された時間を音声録音時間として設定する設定処理と、前記設定処理により設定された音声録音時間及び前記記録媒体の空き容量に基づいて撮影の撮影間隔を算出する算出処理とを含み、上記各処理をコンピュータで実行させることを特徴とする。
【００２４】
上記目的達成のため、請求項１７記載の発明によるプログラムは、撮像素子による被写体の撮影を制御する撮影処理と、マイクロホンにより集音された音の音声データを記録媒体に記録する録音処理と、ユーザによって記録開始前に入力された時間を音声録音時間として設定する設定処理と、前記記録媒体の現在の空き容量から前記設定処理により設定された音声録音時間に必要なデータ容量を減算して、前記記録媒体の空き容量を記録開始前に推定する推定処理とを含み、上記各処理をコンピュータで実行させることを特徴とする。
【発明の効果】
【００２５】
請求項１記載の発明によれば、算出された撮影間隔に基づいて撮影することにより、残り記録容量を意識しながら撮影しなくてすむ。また、入力した予定録音時間が経過する前に残り記録容量が無くなることもなく、ちゃんと予定した録音時間の録音を行なうことができる。
また、撮影時刻にしたがって撮影することにより、一定の時間間隔で撮影することができ、録音中の状況を全体に亘って撮影することができる。
【００２６】
請求項２記載の発明によれば、入力した予定録音時間が経過する前に残り記録容量が無くなることがなく、ちゃんと予定した録音時間の録音を確実に行なうことができる。
【００２７】
請求項３記載の発明によれば、ユーザは残りの撮影回数を視認することができる。
【００２８】
請求項４記載の発明によれば、ユーザは次の撮影時刻が何時かを認識することができる。
【００２９】
請求項５記載の発明によれば、算出された撮影間隔で静止画撮影を自動的に行なうことができ、入力した予定録音時間が経過する前に残り記録容量が無くなることもなく、ちゃんと予定した録音時間の録音を行なうことができる。
また、撮影時刻にしたがって撮影することにより、一定の時間間隔で撮影することができ、録音中の状況を全体に亘って撮影することができる。
【００３１】
請求項６記載の発明によれば、ユーザは、撮影時刻が到来したことを認識することができ、撮影時刻にしたがって撮影することにより、入力した予定録音時間が経過する前に残り記録容量が無くなることもなく、ちゃんと予定した録音時間の録音を行なうことができる。
また、撮影時刻にしたがって撮影することにより、一定の時間間隔で撮影することができ、録音中の状況を全体に亘って撮影することができる。
【００３２】
請求項７記載の発明によれば、入力した予定録音時間に必要なデータ容量を確保して、残り記録容量を推定することができ、該推定された残り記録容量に基づいて、撮影枚数や撮影間隔などを算出することができる。
【００３３】
請求項８記載の発明によれば、ユーザは残りの撮影回数を視認することができる。
また、算出された撮影回数で撮影することにより、残り記録容量を意識しながら撮影しなくてすむ。
また、入力した予定録音時間が経過する前に残り記録容量が無くなることもなく、ちゃんと予定した録音時間の録音を行なうことができる。
【００３４】
請求項９記載の発明によれば、算出された撮影回数以上の撮影を行なうことがないので、確実に入力した予定録音時間分の録音を行なうことができる。
【００３５】
請求項１０記載の発明によれば、撮影可能枚数が多い場合には撮影可能枚数を制限することができ、記録手段の空き容量も確保することができる。
【００３６】
請求項１１記載の発明によれば、撮影間隔が短い場合には撮影間隔を制限することができ、記録手段の空き容量も確保することができる。
【００３７】
請求項１２記載の発明によれば、無音状態の場合には音データが記録されず、つまり、必要のないデータは記録されず、記録手段の空き容量を確保することができる。
また、再推定される記録手段の空き容量は多くなり、多くの撮影を行なうことができる。
【００３９】
請求項１３記載の発明によれば、適切な撮影回数を算出することができ、録音中に電池が切れたり、空き容量がなくなったりするという事態を防ぐことができる。
【００４０】
請求項１４記載の発明によれば、適切な撮影間隔を算出することができ、録音中に電池が切れたり、空き容量がなくなったりするという事態を防ぐことができる。
【００４１】
請求項１５記載の発明によれば、確実に、録音中に電池が切れるという事態を防ぐことができる。
【００４２】
請求項１６記載の発明によれば、デジタルカメラ、パソコン等に読み込ませることにより、本発明の撮像装置を実現することができる。
【００４３】
請求項１７記載の発明によれば、デジタルカメラ、パソコン等に読み込ませることにより、本発明の撮像装置を実現することができる。
【発明を実施するための最良の形態】
【００４４】
以下、本実施の形態について、デジタルカメラに適用した一例として図面を参照して詳細に説明する。
[第１の実施の形態]
Ａ．デジタルカメラの構成
図１は、本発明の撮像装置を実現するデジタルカメラ１の電気的な概略構成を示すブロック図である。
デジタルカメラ１は、撮影レンズ２、レンズ駆動ブロック３、絞り兼用シャッタ４、ＣＣＤ５、ＴＧ（timing generator）６、ユニット回路７、ＤＲＡＭ８、メモリ９、ＣＰＵ１０、フラッシュメモリ１１、画像表示部１２、キー入力部１３、音声処理部１４、ストロボ駆動部１５、ストロボ発光部１６、カードＩ／Ｆ１７を備えており、カードＩ／Ｆ１７には、図示しないデジタルカメラ１本体のカードスロットに着脱自在に装着されたメモリ・カード１８が接続されている。
【００４５】
撮影レンズ２は、図示しないフォーカスレンズ、ズームレンズを含み、レンズ駆動ブロック３が接続されている。レンズ駆動ブロック３は、図示しないフォーカスレンズ、ズームレンズをそれぞれ光軸方向に駆動させるフォーカスモータ、ズームモータと、ＣＰＵ１０からの制御信号にしたがってフォーカスモータ、ズームモータをそれぞれ光軸方向に駆動させるフォーカスモータドライバ、ズームモータドライバから構成されている。
【００４６】
絞り兼用シャッタ４は、図示しない駆動回路を含み、駆動回路はＣＰＵ１０から送られてくる制御信号にしたがって絞り兼用シャッタを動作させる。この絞り兼用シャッタは、絞りとシャッタとして機能する。
絞りとは、撮影レンズ２から入ってくる光の量を制御する機構のことをいい、シャッタとは、ＣＣＤ５に光を当てる時間を制御する機構のことをいい、ＣＣＤ５に光を当てる時間は、シャッタの開閉の速度（シャッタ速度）によって変わってくる。露出は、この絞りとシャッタ速度によって定めることができる。
【００４７】
ＣＣＤ５は、撮影レンズ２、絞り兼用シャッタ４を介して投影された被写体の光を電気信号に変換し、撮像信号としてユニット回路７に出力する。また、ＣＣＤ５は、ＴＧ６によって生成された所定周波数のタイミング信号にしたがって駆動する。ＴＧ６にはユニット回路７が接続されている。
ユニット回路７は、ＣＣＤ５から出力される撮像信号を相関二重サンプリングして保持するＣＤＳ（Correlated Double Sampling）回路、そのサンプリング後の撮像信号の自動利得調整を行うＡＧＣ（Automatic Gain Control）回路、その自動利得調整後のアナログの撮像信号をデジタル信号に変換するＡ／Ｄ変換器から構成されており、ＣＣＤ５の撮像信号は、ユニット回路７を経てデジタル信号としてＣＰＵ１０に送られる。
【００４８】
ＣＰＵ１０は、ユニット回路７から送られてきた画像データの画像処理（画素補間処理、γ補正、輝度色差信号の生成、ホワイトバランス処理、露出補正処理等）、画像データの圧縮・伸張（例えば、ＪＰＥＧ形式やＭＰＥＧ形式の圧縮・伸張）の処理、録音処理などを行う機能を有するとともに、デジタルカメラ１の各部を制御するワンチップマイコンである。
【００４９】
ＤＲＡＭ８は、ＣＣＤ５によって撮像された後、ＣＰＵ１０に送られてきた画像データを一時記憶するバッファメモリとして使用されるとともに、ＣＰＵ１０のワーキングメモリとして使用される。
フラッシュメモリ１１やメモリ・カード１８は、ＣＣＤ５によって撮像された画像データなどを保存しておく記録媒体である。なお、本実施例では、画像データの書き込み（記録）、音データの書き込み（録音）は、専らフラッシュメモリ１１を用いて説明しているが、ユーザのキー入力部１３の操作により、画像データをフラッシュメモリ１１に記録するか、メモリ・カード１８に記録するかを選択することができる。
【００５０】
画像表示部１２は、カラーＬＣＤとその駆動回路を含み、撮影待機状態にあるときには、ＣＣＤ５によって撮像された被写体をスルー画像として表示し、記録画像の再生時には、保存用フラッシュメモリ１１やメモリ・カード１８から読み出され、伸張された記録画像を表示させる。
キー入力部１３は、シャッタボタン、モード切替キー、十字キー、ＳＥＴキー等の複数の操作キーを含み、ユーザのキー操作に応じた操作信号をＣＰＵ１０に出力する。
【００５１】
音声処理部１４は、内蔵マイク、アンプ、Ａ／Ｄ変換器、Ｄ／Ａ変換器、アンプ、内蔵スピーカ等を含み、録音撮影時には、内蔵マイクに入力された音声をデジタル信号に変換してＣＰＵ１０に送る。ＣＰＵ１０は、送られてきた音声データは、バッファメモリ（ＤＲＡＭ８）に順次記憶し、該記憶した音声データをフラッシュメモリ１１に記録する。
また、音声処理部１４は、音声再生時には、音データに基づく音声等を内蔵スピーカから放音するとともに、ＣＰＵ１０は、該音データに関連付けられて記録されている画像を画像表示部１２に表示させる。
【００５２】
ストロボ駆動部１５は、ＣＰＵ１０の制御信号にしたがって、ストロボ発光部１６を閃光駆動させ、ストロボ発光部１６はストロボを閃光させる。ＣＰＵ１０は、図示しない測光回路によって撮影シーンが暗いか否かを判断し、撮影シーンが暗いと判断し、且つ、撮影を行うと判断した場合（シャッタボタン押下時）には、ストロボ駆動部１５に制御信号を送る。
【００５３】
Ｂ．デジタルカメラ１の動作
第１の実施の形態におけるデジタルカメラ１の動作を図２又は図３のフローチャートにしたがって説明する。
ユーザのキー入力部１３のモード切替キーの操作により録音撮影モードに設定されると、ＣＰＵ１０は、ＣＣＤ５による被写体の撮像を開始させ、ＣＣＤ５によって撮像された被写体の画像データに対して画像処理を施してバッファメモリ（ＤＲＡＭ８）に記憶し、該記憶した画像データの画像を画像表示部１２に表示させるという、いわゆるスルー画像表示を開始する（ステップＳ１）。
【００５４】
次いで、ＣＰＵ１０は、ユーザに対して音声録音の予定時間の入力を促す画面を、表示させているスルー画像に重ねて画像表示部１２に表示させる（ステップＳ２）。
次いで、ＣＰＵ１０は、ユーザのキー入力部１３の操作により音声録音の予定時間が入力されたか否かを判断する（ステップＳ３）。この判断は、音声録音予定時間の入力操作に対応する操作信号がキー入力部１３から送られてきたか否かにより判断する。
【００５５】
ステップＳ３で、ユーザによって音声録音予定時間が入力されていないと判断すると、音声録音予定時間が入力されるまでステップＳ３に留まり、ステップＳ３で、音声録音予定時間が入力されたと判断するとステップＳ４に進む。このとき、ユーザは、十字キーやＳＥＴキーの操作を行なうことにより、これから録音しようとする予定時間を入力することができる。
ステップＳ４に進むと、ＣＰＵ１０は、ユーザによって入力された時間を音声録音予定時間として設定する。つまり、ＣＰＵ１０は、ユーザによって入力された時間をメモリ９の録音時間記憶領域に記憶させる。
【００５６】
次いで、ＣＰＵ１０は、該設定した音声録音予定時間に基づいて、音声録音処理により録音されるデータの容量Ａ（録音データ容量Ａ）を算出する。（ステップＳ５）。つまり、被写体の音声を設定した音声録音予定時間で実際に録音したときにおける、その記録されるであろう音声データの録音データ容量Ａを予想して算出する。この録音データ容量Ａの算出は、単位時間当たりの音声データの容量に、該設定した録音時間を乗算することによりデータ容量Ａを求めることができる。
次いで、ＣＰＵ１０は、フラッシュメモリ１１の空き容量（残り容量）Ｂが後どのくらいあるのかを判定する（ステップＳ６）。
【００５７】
次いで、ＣＰＵ１０は、撮影可能枚数Ｄの算出を行い、該算出した撮影可能枚数をメモリ９の撮影枚数記憶領域に記憶させる（ステップＳ７）。この算出は、該算出した録音データ容量Ａ及び該判定したフラッシュメモリ１１の空き容量Ｂを用いて撮影可能枚数を算出する。具体的に説明すると、空き容量Ｂから録音データ容量Ａを減算する。そして、該減算後のデータ容量を１枚分の静止画像データのデータ容量Ｃで除算することにより撮影可能枚数Ｄを算出することができ、数式で表すと、撮影可能枚数Ｄ＝（空き容量Ｂ−録音データ容量Ａ）／１枚分のデータ容量Ｃ、という関係式が成り立つ。
【００５８】
そして、撮影可能枚数Ｄを算出すると、ＣＰＵ１０は、撮影間隔（撮影時間の間隔）Ｅの算出を行い、該算出した撮影間隔をメモリ９の撮影間隔記憶領域に記憶させる（ステップＳ８）。この算出は、該設定した音声録音予定時間を、該算出した撮影可能枚数から１を減算した数で除算することにより求めることができ、数式で表すと、撮影間隔Ｅ＝録音予定時間／（撮影可能枚数Ｄ−１）、という関係式が成り立つ。
【００５９】
次いで、ＣＰＵ１０、静止画撮影・記録処理を行う（ステップＳ９）。つまり、被写体の静止画を撮影し、該撮影された画像データをフラッシュメモリ１１に記録させる。このとき、撮影された画像データを記録するときには、表示タイミングを示す情報も一緒に記録させる。この表示タイミングとは、現在録音している音声データを再生させるときに、どのタイミングで該撮影した画像データを表示させるかを示す情報のことをいい、この表示タイミングにより録音中に撮影したタイミングで画像データを表示させることができる。ここでは、録音を開始する直前あるいは同時に最初の静止画撮影を行なったので、表示タイミングは０となる。
また、静止画撮影・記録処理を行う度に、ＣＰＵ１０は、撮影回数をカウントしていく。このカウントされた数は、メモリ９のカウント記憶領域に記憶される。ここでは、最初の静止画撮影を行なったので、カウント記憶領域に記憶されるカウント数は１となる。
【００６０】
そして、静止画撮影・記録処理を行うと、ＣＰＵ１０は、被写体のスルー画像表示を復帰させ、該表示させたスルー画像に重ねて撮影残り枚数及び次の撮影時刻を表示させる（ステップＳ１０）。この表示される次の撮影時刻は、該撮影した時刻に、メモリ９の撮影間隔記憶領域に記憶されている撮影間隔を加算した時刻が表示されることとなる。例えば、今撮影した時刻が１３時２１分であって、算出した撮影間隔が５分の場合には、表示される次の撮影時刻は、１３時２６分ということになる。なお、次の撮影時刻の表示に代えて（又は加えて）次の撮影タイミング（撮影時刻）までの時間をカウントダウン表示させるようにしてもよい。また、言うまでもないが、撮影残り枚数とは、該算出した撮影可能枚数から既に撮影を行なった枚数を減算した数のことをいい、撮影枚数記憶領域に記憶されている撮影可能枚数から、カウント記憶領域に記憶されているカウント数を減算した数が撮影残り枚数となる。
【００６１】
次いで、ＣＰＵ１０は、タイマーをスタートさせて（ステップＳ１１）、録音処理を開始する（ステップＳ１２）。つまり、内蔵マイクにより集音されデジタル信号に変換された被写体の音声データをフラッシュメモリ１１に記録する処理を開始する。このとき、録音処理は、内蔵マイクにより集音された音に被写体の音声が含まれているか否かを判断し、含まれていない場合には該集音した音を記録しないという処理を行う。この録音処理については後で後述する。
次いで、ＣＰＵ１０は、現在の時刻が次の撮影時刻になったか否かの判断を行う（ステップＳ１３）。なお、前回撮影が行なわれた時点からタイマー計測を開始して計測時間がメモリ９の撮影間隔記憶領域に記憶されている撮影間隔となったか否かを判断することにより次の撮影タイミングが到来したか否かを判断するようにしてもよい。
【００６２】
ステップＳ１３で、現在の時刻が次の撮影時刻であると判断すると、ＣＰＵ１０は、静止画撮影・記録処理を行う（ステップＳ１４）。撮影処理を行ったので、撮影回数をカウントし、該カウントされた撮影回数がメモリ９のカウント記憶領域に記憶される。現在カウント記憶領域に記憶されているカウント数が１の場合には新たに記憶されるカウント数は２となり、現在記憶されているカウント数が２の場合には新たに記憶されるカウント数は３となる。つまり、静止画撮影が行なわれる度に、カウント記憶領域に記憶されている数が＋１されていく。
なお、このときも、撮影した画像データとともに表示タイミングがフラッシュメモリ１１に記録される。つまり、カウント数が２となった場合には、メモリ９の撮影間隔記憶領域に記憶されている撮影間隔が表示タイミングとしてフラッシュメモリ１１に記録され、カウント数が３となった場合には、撮影間隔×２の時間が表示タイミングとしてフラッシュメモリ１１に記録されることになる。
【００６３】
そして、静止画撮影・記録処理を行うと、ＣＰＵ１０は、被写体のスルー画像表示を復帰させ、該表示させたスルー画像に重ねて撮影残り枚数及び次の撮影時刻を表示させて（ステップＳ１５）、ステップＳ１６に進む。なお、次の撮影時刻の表示に代えて（又は加えて）次の撮影タイミング（撮影時刻）までの時間をカウントダウン表示させるようにしてもよい。
一方、ステップＳ１３で、現在の時刻が次の撮影時刻でないと判断するとそのままステップＳ１６に進む。
ステップＳ１６に進むと、ＣＰＵ１０は、録音時間が有るか否かの判断を行う。つまり、録音処理を開始してから該設定した（メモリ９の記憶媒体に記憶した）音声録音予定時間の時間が経過したか否かの判断を行う。この判断は、タイマーにより計時された時間が該設定した音声録音予定時間に達したか否かにより判断する。
【００６４】
ステップＳ１６で、録音時間がまだ有ると判断すると、ＣＰＵ１０は、撮影予定枚数の静止画撮影が終了しているか否かを判断する（ステップＳ１７）。この判断は、カウント記憶領域に記憶されている撮影回数が撮影枚数記憶領域に記憶されている撮影可能枚数に達したか否かにより判断する。
ステップＳ１７で、撮影予定枚数の静止画撮影が終了していないと判断すると、ステップＳ１３に戻り、ステップＳ１７で、撮影予定枚数の静止画撮影が終了したと判断すると、ステップＳ１６に戻る。
【００６５】
一方、ステップＳ１６で、録音時間がないと判断すると、つまり、タイマーにより計時された時間が録音時間記憶領域に記憶されている時間に達したと判断すると、ＣＰＵ１０は、録音処理を終了、つまり、被写体の音声データの記録を中止するとともに、該記録した音声データと、録音処理中に記録した複数の画像データとを関連付けて記録させる。なお、音声データと複数の画像データとの関連付けは、音声ファイルと画像ファイルのファイル名を同じにしたり、音声ファイル及び画像ファイル中に関連付けを行なうファイルのファイル名を記述したり、音声データと複数の画像データとを１つのファイルとして記録するといった方法が考えられるが、他の方法であってもよい。
【００６６】
Ｃ．録音処理の動作について
次に録音処理の動作を図４のフローチャートにしたがって説明する。
図３のステップＳ１２により録音処理が開始されると、ＣＰＵ１０は、内蔵マイクによって集音され、デジタル信号に変換された音データをバッファメモリに記憶する。つまり、音データを取得する（図４のステップＳ２１）。
【００６７】
次いで、ＣＰＵ１０は、該取得した音データの音に被写体の音声が含まれているか否かを判断する（ステップＳ２２）。
ステップＳ２２で、被写体の音声が含まれていると判断すると、該取得した音データ、つまり、バッファメモリに記憶した音データをフラッシュメモリ１１に記録させて（ステップＳ２３）、ステップＳ２１に戻り、新たに集音された音データを取得して上記した動作を繰り返す。
【００６８】
一方、ステップＳ２２で、被写体の音声が含まれていないと判断すると、そのままステップＳ２１に戻り上記した動作を繰り返す。つまり、該取得した音データを、つまり、バッファメモリに記憶した音データをフラッシュメモリ１１に記録せずに、ステップＳ２１に戻り、新たに集音された音データを取得する。この場合、録音音声を実時間再生するために、バッファメモリに記憶した音データをフラッシュメモリ１１に記録していない時間を示す情報を音データと共に記録しておく必要がある。
これにより、被写体の音声が含まれていない音データを記録することがないので、フラッシュメモリ１１の記録容量を有効活用することができる。
なお、ここでは、被写体の音声が含まれているか否かを判断し、被写体の音声が含まれている場合には集音された被写体の音データを記録するようにしたが、被写体の音声に限らずに、無音か否か（集音された音のレベルが閾値以下か否か）を判断し、無音でないと判断した場合には、音データを記録するようにしてもよい。
また、音声の有無の判断を行なうことなく集音された音データをフラッシュメモリ１１に記録した後、このフラッシュメモリ１１に記録されている音データを読み出して音声の有無の判断を行い、無音と判断された部分の音データをフラッシュメモリ１１から削除するようにしてもよい。
【００６９】
Ｄ．以上のように、第１の実施の形態においては、ユーザ入力された音声録音予定時間と現在の空き容量に基づいて、撮影枚数、撮影間隔を自動的に算出し、該算出した撮影枚数、撮影間隔で自動的に静止画撮影も行なうので、録音中に静止画撮影を行なっても、ユーザが入力した音声録音予定時間が経過する前に残り記録容量が無くなることがなく、予定した録音時間で被写体の録音を行なうことができる。また、残り記録容量を意識する必要がなくなり、安心して録音をすることができる。
【００７０】
また、自動的に算出された撮影枚数、撮影間隔で静止画撮影を録音中に行なうので、録音中の状況を全体に亘って撮影することができる。
また、残り撮影枚数、次の撮影時刻（撮影タイミング）を画像表示部１２に表示させるので、ユーザは、残り撮影枚数、及び、次の撮影時刻を認識することができる。
また、被写体の音声が含まれていない音データは記録されないので、必要のないデータは記録されず、フラッシュメモリ１１の記録容量を有効活用することができる。
【００７１】
［第２の実施の形態］
次に第２の実施の形態について説明する。
第１の実施の形態においては、音声録音予定時間とフラッシュメモリ１１の空き容量に基づいて、撮影枚数を算出するようにしたが、第２の実施の形態においては、更に、該算出された撮影枚数の静止画撮影に必要な電池容量及び音声録音予定時間の録音に必要な電池容量分の電池容量が電池にあるか否かを判断し、撮影及び録音に必要な電池容量がないと判断した場合には、残り電池容量に基づいて、撮影枚数を再算出するというものである。
【００７２】
Ｅ.デジタルカメラ１の動作
第２の実施の形態も、図１に示したものと同様の構成を有するデジタルカメラ１を用いることにより本発明の撮像装置を実現する。
以下、第２の実施の形態のデジタルカメラ１の動作を図５のフローチャートにしたがって説明する。なお、第２の実施の形態においては、第１の実施の形態における動作と違う動作のみについて説明をし、第１の実施の形態と同じ動作については説明を省略する。
【００７３】
図２のステップＳ７で、撮影可能枚数Ｄを算出すると、第２の実施の形態においては、図５のステップＳ３１に進み、ＣＰＵ１０は、デジタルカメラ１に装着されている電池（図示略）の残り電池容量Ｆがどのくらいあるか否かを判定する。
次いで、ＣＰＵ１０は、図２のステップＳ４で設定した音声録音予定時間の音声録音処理に必要な電池容量とステップＳ７で算出した撮影可能枚数Ｄの静止画撮影処理に必要な電池容量との合計の電池容量（録音・撮影処理用の電池容量）Ｇの算出を行なう（ステップＳ３２）。
【００７４】
この音声録音予定時間の音声撮影処理に必要な電池容量の算出は、単位時間当たりの録音処理に必要な電池容量に、該設定した音声録音予定時間を乗算することにより求めることができ、撮影可能枚数Ｄの静止画撮影処理に必要な電池容量の算出は、一枚の撮影処理に必要な電池容量に撮影可能枚数Ｄを乗算することにより求めることができる。そして、この求めた音声撮影処理に必要な電池容量と撮影可能枚数Ｄの静止画撮影処理に必要な電池容量とを加算することにより、録音・撮影処理用の電池容量Ｇを求めることができる。
【００７５】
次いで、ＣＰＵ１０は、ステップＳ３１で判定した電池の残り電池容量ＦがステップＳ３２で算出した録音・撮影処理用の電池容量Ｇより多いか否かを判断する（ステップＳ３３）。
ステップＳ３３で、電池の残り電池容量Ｆが録音・撮影処理用の電池容量Ｇより多いと判断すると、図２のステップＳ８に進む。なぜならば、残り電池容量Ｆが録音・撮影処理容量Ｇより多い場合には、ユーザによって入力された音声録音予定時間での録音、及び算出された撮影可能枚数Ｄでの静止画撮影を行なっても途中で電池が切れることはないからである。
【００７６】
一方、ステップＳ３３で、電池の残り電池容量Ｆが録音・撮影処理用の電池容量Ｇより多くないと判断すると、ＣＰＵ１０は、図２のステップＳ４で設定した音声録音予定時間の音声録音処理に必要な電池容量（録音処理用の電池容量）Ｈの算出を行なう（ステップＳ３４）。なお、ステップＳ３２で、録音・撮影処理用の電池容量Ｇを算出するときに、音声録音処理に必要な電池容量を既に算出しているので、新たに電池容量Ｈを算出せずに、既に算出してある音声録音処理に必要な電池容量を電池容量Ｈとするようにしてもよい。
【００７７】
次いで、ＣＰＵ１０は、撮影可能枚数Ｄの再算出を行い、該再算出した撮影可能枚数をメモリ９の撮影枚数記憶領域に上書きして記憶させて（ステップＳ３５）、図２のステップＳ８に進む。この算出は、該算出した残り電池容量Ｆ及び該算出した録音処理用の電池容量Ｈを用いて撮影可能枚数Ｄを再算出する。具体的に説明すると、残り電池容量Ｆから録音処理用の電池容量Ｈを減算する。そして、該減算後の電池容量を１枚分の静止画撮影に必要な電池容量Ｉで除算することにより撮影可能枚数Ｄを算出することができ、数式で表すと、撮影可能枚数Ｄ＝（残り電池容量Ｆ−録音処理用の電池容量Ｈ）／１枚分の電池容量Ｉ、という関係式が成り立つ。
このように、残り電池容量が録音・撮影処理容量Ｇより多くない場合には、録音予定時間と残り電池容量に基づいて、撮影可能枚数Ｄを再算出するので、音声録音処理の途中で電池が切れることなく、再算出した撮影可能枚数分の静止画撮影も行なうことができる。
【００７８】
Ｆ．以上のように、第２の実施の形態においては、フラッシュメモリ１１の空き記録容量Ｂ及び録音データ容量Ａに基づいて算出した撮影可能枚数Ｄ（ステップＳ７）の撮影処理に必要な電池容量と、音声録音予定時間の音声録音処理に必要な電池容量との合計の電池容量Ｇが、電池の残り電池容量Ｆより多い場合には、録音予定時間の録音処理に必要な電池容量Ｈと残り電池容量Ｆに基づいて、撮影可能枚数Ｄを再算出するので、音声録音処理の途中で電池が切れることなく、静止画撮影を行なうことができる。
また、録音中に静止画撮影を行なっても、ユーザが入力した音声録音予定時間が経過する前に残り電池容量が無くなることがなく、予定した録音時間で被写体の録音を行なうことができる。また、残り電池容量を意識する必要がなくなり、安心して録音をすることができる。
【００７９】
［変形例］
Ｇ．上記各実施の形態は以下のような変形例も可能である。
（１）上記各実施の形態においては、撮影時刻になると（ステップＳ１３でＹに分岐）、ステップＳ１４で、静止画撮影・記録処理を行うようにしたが、静止画撮影処理を行うのに先立って、ユーザに対してこれから静止画撮影処理を行う旨を報知するようにしてもよい。これにより、ユーザはこれから静止画撮影が行なわれることを認識することができ、撮影したい被写体にカメラを向けるといったカメラワークを行なうことができる。
【００８０】
（２）上記各実施の形態及び上記（１）においては、ユーザが音声録音予定時間を入力し、撮影枚数Ｄ、撮影間隔Ｅなどを算出すると、１回目の静止画撮影処理を行うようにしたが（ステップＳ９）、撮影枚数Ｄ、撮影間隔Ｅを算出してから、所定間隔経過すると１回目の静止画撮影処理を行うようにしてもよい。
【００８１】
（３）上記各実施の形態及び上記（１）又は（２）においては、撮影時刻になると（ステップＳ１３でＹに分岐）、ステップＳ１４（ステップＳ９も含む）で、静止画撮影・記録処理を行うようにしたが、静止画撮影・記録処理を行わずに、撮影時刻が到来したことをユーザに対して報知するようにしてもよい。この報知の方法としては、音声処理部１４の内蔵スピーカから撮影時刻を知らせる音（音声も含む）放音させるようにしてもよいし、画像表示部１２に撮影時刻である旨を表示させるようにしてもよいし、ＬＥＤなどにより光を点灯又は点滅させて知らせるようにしてもよい。この場合の静止画撮影処理は、ユーザのシャッタボタンの押下によって行なわれる。
また、ステップＳ９の静止画撮影・記録処理も自動的に行なうのではなく、ユーザに対して撮影時刻であることを報知するようにしてもよい。
【００８２】
（４）また、上記（３）においては、撮影時刻であることをユーザに対して報知すると、ステップＳ１５（ステップＳ１０を含む）では、次の撮影時刻、撮影残り枚数の表示を行うが、表示される撮影残り枚数の枚数は変更されない。なぜならば、単にユーザに対して撮影時刻であることを報知したに過ぎないので、撮影残り枚数が変わることはないからである。この場合は、実際にユーザによってシャッタボタンが押下され静止画撮影・記録処理を行った後に、表示されている撮影残り枚数が変更されることとなる。
【００８３】
（５）また、上記（３）においては、撮影間隔を算出し、撮影時刻になると（撮影間隔毎に）、撮影時刻が到来したことをユーザに対して報知するようにしたが、撮影間隔の算出、撮影時刻が到来したことの報知を行わないようにしてもよい。この場合には、撮影残り枚数のみを表示させ、ユーザによってシャッタボタンが押下される度に表示させる撮影残り枚数を１枚ずつ減らしていく。この場合には、ユーザは撮影間隔にとらわれずに自由に撮影を行なうことができる。
【００８４】
（６）また、上記（３）乃至（５）において、算出した撮影可能枚数Ｄ分の静止画撮影処理が行なわれた場合には、ユーザがそれ以上シャッタボタンを押下しても、静止画撮影処理を行わないようにしてもよい。撮影時刻であることをユーザに対して報知するのは、単に目安に過ぎないので、ユーザが報知された撮影時刻を無視して静止画撮影処理を行う場合もあるからであり、撮影可能枚数Ｄ以上の静止画撮影を行なうと、設定した音声録音予定時間分の録音終了する前に、フラッシュメモリ１１の空き容量が無くなってしまうからである。
【００８５】
（７）また、上記各実施の形態及び上記（１）乃至（６）においては、撮影時刻になると、又は、ユーザによってシャッタボタンが押下されると、静止画撮影処理を行うようにしたが、動画撮影処理を所定時間（例えば、５秒）行なうようにしてもよい。この場合は、１回分の動画撮影処理に必要なデータ容量に基づいて、撮影可能枚数に換えて撮影可能回数を算出することになる。
【００８６】
（８）また、上記第２の実施の形態においては、フラッシュメモリ１１の空き容量Ｂ及び音声データ容量Ａに基づいて撮影可能枚数Ｄを算出してから、残り電池容量Ｆが録音・撮影処理用の電池容量Ｇより多いか否かを判断し、残り電池容量Ｆが録音・撮影処理用の電池容量Ｇより多くない場合には、残り電池容量Ｆ及び音声録音用の電池容量Ｈに基づいて撮影可能枚数Ｄを再算出するアプローチにしたが、逆のアプローチによって適切な撮影可能枚数Ｄを算出するようにしてもよい。
具体的に説明すると、残り電池容量Ｆ及び録音処理用の電池容量Ｈに基づいて撮影可能枚数Ｄを算出してから、フラッシュメモリの空き容量Ｂが、音声データ容量Ａと該算出した撮影可能枚数Ｄ分のデータ容量との和のデータ容量より多いか否かを判断し、空き容量Ｂが音声データ容量Ａと撮影可能枚数Ｄ分のデータ容量との和のデータ容量より多くない場合には、フラッシュメモリ１１の空き容量Ｂ及び音声データ容量Ａとに基づいて撮影可能枚数Ｄを再算出するようにしてもよい。
つまり、フラッシュメモリ１１の空き容量Ｂと、残り電池容量Ｆを勘案して、容量の少ない方に基づいて、撮影可能枚数Ｄを算出することになる。
【００８７】
（９）また、上記第２の実施の形態及び上記（８）において、フラッシュメモリ１１の空き容量Ｂに基づいて算出した撮影可能枚数Ｄの撮影処理に必要な電池容量と、音声録音予定時間の録音処理に必要な電池容量との合計の電池容量Ｇが残り電池容量Ｆより大きい場合には、残り電池容量Ｆに基づいて撮影可能枚数Ｄの算出を行うようにしたが、残り電池容量Ｆに基づいて撮影可能枚数Ｄを算出することなく、単にユーザに対して音声録音予定時間の録音処理及び撮影処理に必要な電池容量がない旨のメッセージや充電を促す表示、残り電池容量で録音することができる録音時間や撮影することができる撮影枚数の表示、充電に必要な時間の表示、電池交換を促す表示などを行うようにしてもよい。
また、残り電池容量Ｆに基づいて算出した撮影可能枚数Ｄ分のデータ容量と、音声録音予定時間の録音処理に必要なデータ容量Ａとの和のデータ容量がフラッシュメモリ１１の空き容量Ｂより大きい場合には、フラッシュメモリ１１の空き容量Ｂに基づいて撮影可能枚数Ｄの算出を行うようにしたが、フラッシュメモリ１１の空き容量Ｂに基づいて撮影可能枚数Ｄを算出することなく、単にユーザに対して音声録音予定時間の録音処理及び撮影処理に必要な空き記録容量がフラッシュメモリ１１にない旨の表示、空き記録容量で録音することができる録音時間及び撮影することができる撮影枚数の表示、音声録音予定時間の録音処理及び撮影処理を行うためには、後どのくらいの空き記録容量が必要である旨を表示させるようにしてもよい。
【００８８】
（１０）また、上記各実施の形態及び上記（１）乃至（９）において、録音処理により、内蔵マイクに集音された音データに被写体の音声が含まれていないと判断した場合には、単に音データを記録しないようにしたが、音データを記録しない場合には、設定した音声録音予定時間に基づいて算出した録音データ容量Ａ又は録音処理用の電池容量Ｈより、実際に記録される音声データの容量又は録音処理により使われる電池容量は少なくなり、算出した撮影可能枚数以上の撮影を行なうことができる場合もあるので、再び撮影枚数及び撮影間隔を再算出するようにしてもよい。
【００８９】
（１１）また、上記各実施の形態及び上記（１０）において、録音処理により、内蔵マイクに集音された音データに被写体の音声が含まれていないと判断した場合には、単に音データを記録しないようにしたが、所定時間（例えば、５秒）被写体の音声が集音された音データに含まれていない、つまり、所定時間無言状態であると判断した場合に、音データを記録しないようにしてもよい。この場合、被写体の音声が含まれていると判断すると、再び音データを記録することはいうまでもない。
【００９０】
（１２）また、上記各実施の形態及び上記（１）乃至（１１）において、録音データ容量Ａ及びフラッシュメモリ１１の空き容量Ｂ、又は、録音処理用の電池容量Ｈ及び残り電池容量Ｆに基づいて、算出された撮影可能枚数Ｄに基づいて静止画撮影や撮影時刻である旨の報知を行なうようにしたが、算出された撮影可能枚数Ｄが所定枚数以上の場合には、強制的に撮影可能枚数Ｄを所定枚数にするようにしてもよい。例えば、所定枚数が１０枚の場合には、算出した撮影可能枚数が１０枚を超える場合は、撮影可能枚数を強制的に１０枚とし、算出した撮影可能枚数が１０枚以下の場合は、該算出した枚数が撮影可能枚数となる。
つまり、上記各実施の形態及び上記（１）乃至（１０）においては、算出された撮影可能枚数Ｄ枚分の撮影を行なうと、フラッシュメモリ１１の空き容量又は残り電池容量Ｆが無くなってしまうのでリミッターを設けることにより、フラッシュメモリ１１の容量や電池容量に余裕を持たせることができる。
また、撮影可能枚数を制限せずに、算出された撮影間隔が所定間隔以下の場合には、強制的に撮影間隔を所定間隔にするようにしてもよい。
【００９１】
（１３）また、上記（１２）において、所定枚数を一律に定めるようにしたが、フラッシュメモリ１１の空き容量Ｂ又は残り電池容量Ｆに応じて所定枚数を変えるようにしてもよい。つまり、フラッシュメモリ１１の空き容量Ｂ、残り電池容量が少なくなるにつれ、所定枚数を減らすようにする。これにより、算出した撮影可能枚数Ｄ分の撮影を行なっても、フラッシュメモリ１１の容量や電池容量に余裕を持たせることができる。
【００９２】
（１４）また、上記各実施の形態及び上記（１）乃至（１３）において、算出した撮影可能枚数に基づいて、撮影間隔を算出するようにしたが、ユーザが撮影間隔を設定できるようにしてもよいし、予め決められた撮影間隔であってもよい。
【００９３】
（１５）また、上記各実施の形態において、ステップＳ１４で行われる静止画撮影処理の撮影条件（ホワイトバランスやズーム倍率、露出値、画像サイズ、感度など）を撮影毎に異ならせるようにしてもよい。
【００９４】
（１６）更に、上記各実施の形態及び上記（１）乃至（１５）におけるデジタルカメラ１は、上記の実施の形態に限定されるものではなく、カメラ・マイク付き携帯電話、カメラ・マイク付きＰＤＡ、カメラ・マイク付きパソコン、カメラ付きＩＣレコーダ、又はデジタルビデオカメラ等でもよく、要は被写体を撮影し、音声を録音することができる機器であれば何でもよい。
【図面の簡単な説明】
【００９５】
【図１】本発明の実施の形態のデジタルカメラのブロック図である。
【図２】第１の実施の形態のデジタルカメラの動作を示すフローチャートである。
【図３】第１の実施の形態のデジタルカメラの動作を示すフローチャートである。
【図４】録音処理の動作を示すフローチャートである。
【図５】第２の実施の形態のデジタルカメラの動作を示すフローチャートである。
【符号の説明】
【００９６】
１      デジタルカメラ
２      撮影レンズ
３      レンズ駆動ブロック
４      絞り兼用シャッタ
５      ＣＣＤ
６      ＴＧ
７      ユニット回路
８      ＤＲＡＭ
９      メモリ
１０    ＣＰＵ
１１    フラッシュメモリ
１２    画像表示部
１３    キー入力部
１４    音声処理部
１５    ストロボ駆動部
１６    ストロボ発光部
１７    カードＩ／Ｆ
１８    メモリ・カード
【図１】
0004543426.tif 000002
【図２】
0004543426.tif 000003
【図３】
0004543426.tif 000004
【図４】
0004543426.tif 000005
【図５】
0004543426.tif 000006